(57)【要約】  長手方向と幅方向とを有し、吸収性コア（２）を備える低体重児用の使い捨ておむつ（１）であって、吸収性コア（２）は、幅方向に沿って折れ曲がるように誘導する第１折り誘導部（２１ａ）、第２折り誘導部（２１ｂ）、及び、第３折り誘導部（２１ｃ）を、長手方向において異なる位置に有していること、を特徴とする低体重児用の使い捨ておむつ（１）。
2019069468.tif 000002
【特許請求の範囲】
【請求項１】
長手方向と幅方向とを有し、
吸収性コアを備える低体重児用の使い捨ておむつであって、
前記吸収性コアは、前記幅方向に沿って折れ曲がるように誘導する第１折り誘導部、第２折り誘導部、及び、第３折り誘導部を、前記長手方向において異なる位置に有していること、を特徴とする低体重児用の使い捨ておむつ。
【請求項２】
請求項１に記載の低体重児用の使い捨ておむつであって、
前記第２折り誘導部は、前記長手方向における前記使い捨ておむつの中央に位置し、
前記第１折り誘導部、及び、前記第３折り誘導部は、前記長手方向における前記使い捨ておむつの中央に対して対称に位置していること、を特徴とする低体重児用の使い捨ておむつ。
【請求項３】
請求項１又は２に記載の低体重児用の使い捨ておむつであって、
前記第２折り誘導部は、前記長手方向における前記使い捨ておむつの中央に位置し、
前記第１折り誘導部は、前記長手方向における前記使い捨ておむつの中央と一方側の端との中央に位置し、
前記第３折り誘導部は、前記長手方向における前記使い捨ておむつの中央と他方側の端との中央に位置していること、を特徴とする低体重児用の使い捨ておむつ。
【請求項４】
請求項１から３の何れか１項に記載の低体重児用の使い捨ておむつであって、
前記吸収性コアは、前記長手方向の中央部において、端部よりも幅の狭い幅狭部を有し、
前記第１折り誘導部、前記第２折り誘導部、及び、前記第３折り誘導部は、前記幅狭部に位置していること、を特徴とする低体重児用の使い捨ておむつ。
【請求項５】
請求項４に記載の低体重児用の使い捨ておむつであって、
前記第２折り誘導部は、前記長手方向における前記幅狭部の中央部に位置し、
前記第１折り誘導部は、前記長手方向における前記幅狭部の中央と一方側の端との中央よりも前記一方側に位置し、
前記第３折り誘導部は、前記長手方向における前記幅狭部の中央と他方側の端との中央よりも前記他方側に位置していること、を特徴とする低体重児用の使い捨ておむつ。
【請求項６】
請求項５に記載の低体重児用の使い捨ておむつであって、
前記第１折り誘導部、及び、前記第３折り誘導部の少なくとも一方は、前記幅狭部において、前記吸収性コアの幅が狭くなり始める部位に位置していること、を特徴とする低体重児用の使い捨ておむつ。
【請求項７】
請求項１から６の何れか１項に記載の低体重児用の使い捨ておむつであって、
前記吸収性コアは前記長手方向に対称形状であること、を特徴とする低体重児用の使い捨ておむつ。
【請求項８】
請求項１から７の何れか１項に記載の低体重児用の使い捨ておむつであって、
前記長手方向の一方側において、前記幅方向の両外側に延出し、かつ、ファスニングテープが固定された一対の第１サイドフラップと、
前記長手方向の他方側において、前記幅方向の両外側に延出する一対の第２サイドフラップと、を有し、
前記長手方向の前記一方側から順に、前記第１折り誘導部、前記第２折り誘導部、前記第３折り誘導部が位置し、
前記第１折り誘導部、前記第２折り誘導部、及び、前記第３折り誘導部は、それぞれ、前記吸収性コアの前記幅方向の両側部において、前記幅方向の内側に凸となる一対の切欠き部であること、を特徴とする低体重児用の使い捨ておむつ。
【請求項９】
請求項８に記載の低体重児用の使い捨ておむつであって、
前記第１折り誘導部の前記切欠き部の頂点は、前記長手方向における前記ファスニングテープの前記他方側の端よりも前記他方側に位置していること、を特徴とする低体重児用の使い捨ておむつ。
【請求項１０】
請求項８又は９に記載の低体重児用の使い捨ておむつであって、
前記第２サイドフラップの前記長手方向の前記一方側の端が、前記第３折り誘導部の前記切欠き部の頂点よりも、前記長手方向の前記他方側に位置していること、を特徴とする低体重児用の使い捨ておむつ。
【請求項１１】
請求項８から１０の何れか１項に記載の低体重児用の使い捨ておむつであって、
前記第３折り誘導部の前記切欠き部の頂点から、前記長手方向における前記吸収性コアの前記他方側の端までの前記長手方向の長さは、前記ファスニングテープの前記長手方向の長さ以上であること、を特徴とする低体重児用の使い捨ておむつ。
【請求項１２】
請求項８から１１の何れか１項に記載の低体重児用の使い捨ておむつであって、
前記使い捨ておむつを前記長手方向に展開かつ伸長した状態において、
前記第１折り誘導部及び前記第２折り誘導部の各前記切欠き部の頂点の前記長手方向の中央から、前記長手方向における前記ファスニングテープの前記他方側の端までの長さを第１の長さとし、
前記第３折り誘導部の前記切欠き部の頂点から、前記長手方向における前記使い捨ておむつの前記他方側の端までの長さを第２の長さとしたとき、
前記長手方向において、前記第３折り誘導部の前記切欠き部の頂点から前記一方側に前記第２の長さ離れた位置は、前記中央から前記他方側に前記第１の長さ離れた位置よりも、前記一方側に位置していること、を特徴とする低体重児用の使い捨ておむつ。
【請求項１３】
請求項８から１２の何れか１項に記載の低体重児用の使い捨ておむつであって、
前記使い捨ておむつの前記幅方向の両側部に、一対の立体ギャザー部が配置されており、
前記立体ギャザー部は、前記長手方向に伸縮する立体ギャザー部用弾性部材によって、肌側に起立可能であり、
前記長手方向において、前記立体ギャザー部用弾性部材の伸縮部の中央は、前記使い捨ておむつの中央よりも前記他方側に位置していること、を特徴とする低体重児用の使い捨ておむつ。
【請求項１４】
請求項１３に記載の低体重児用の使い捨ておむつであって、
前記長手方向において、前記第３折り誘導部の前記切欠き部の頂点は、前記立体ギャザー部の前記他方側の起立起点よりも一方側に位置していること、を特徴とする低体重児用の使い捨ておむつ。
【請求項１５】
請求項１３又は１４に記載の低体重児用の使い捨ておむつであって、
前記使い捨ておむつを前記長手方向に展開かつ伸長した状態において、
前記立体ギャザー部用弾性部材の伸縮部の前記長手方向の長さは、前記第１折り誘導部及び前記第３折り誘導部の各前記切欠き部の頂点間の前記長手方向の長さ以上であること、を特徴とする低体重児用の使い捨ておむつ。
【発明の詳細な説明】
【技術分野】
【０００１】
本発明は、低体重児用の使い捨ておむつに関する。
【背景技術】
【０００２】
特許文献１の使い捨ておむつには、着用時において股下域が平坦な形状を維持できるように、吸収性コアの長手方向の中央部に、第１切欠き及び第２切欠きが形成されている。第１切欠き及び第２切欠きは、吸収性コアの外側縁から幅方向の内側に向かって延びる切欠き形状である。
【先行技術文献】
【特許文献】
【０００３】
【特許文献１】特開２０１６−７７７５１号公報
【発明の概要】
【発明が解決しようとする課題】
【０００４】
ところで、低体重で出産された低体重児は、胎内にいた時のうつぶせ姿勢で過ごすことが多い。両膝が腹部に付く位に引き付けられた姿勢で過ごす低体重児の股間部は、仰向けで脚を伸ばして過ごす赤ちゃんの股間部よりも腹側に位置する。よって、特許文献１のように、吸収性コアの長手方向の中央部に股下域が設定されて切欠きが設けられたおむつは、低体重児の股間部にフィットしにくい。【０００５】
また、おむつの装着時において、通常は、赤ちゃんを仰向けにし、ファスニングテープ側の胴回り部を赤ちゃんの背の下に敷いて、腹側でファスニングテープが係止される。しかし、低体重児の場合、身体に極力触れないことが望ましいとするミニマルハンドリングの考え方から、うつぶせのままの低体重児に対して、おむつ交換することがある。背側でファスニングテープの係止や取り外しが可能なように、おむつが前後逆装着される場合がある。そのため、低体重児用の使い捨ておむつでは、通常装着される場合と前後逆装着される場合を想定する必要がある。【０００６】
そこで、本発明は、通常装着される場合にも、前後逆装着される場合にも、胎内にいた時の姿勢を取る低体重児にフィットする低体重児用の使い捨ておむつを提供することを目的とする。
【課題を解決するための手段】
【０００７】
上記目的を達成するための主たる発明は、長手方向と幅方向とを有し、吸収性コアを備える低体重児用の使い捨ておむつであって、前記吸収性コアは、前記幅方向に沿って折れ曲がるように誘導する第１折り誘導部、第２折り誘導部、及び、第３折り誘導部を、前記長手方向において異なる位置に有していること、を特徴とする低体重児用の使い捨ておむつである。
本発明の他の特徴については、本明細書及び添付図面の記載により明らかにする。
【発明の効果】
【０００８】
本発明によれば、通常装着される場合にも、前後逆装着される場合にも、胎内にいた時の姿勢を取る低体重児にフィットする低体重児用の使い捨ておむつを提供できる。
【図面の簡単な説明】
【０００９】
【図１】長手方向に展開かつ伸長したおむつ１を肌側から見た平面図である。
【図２】図２Ａは第１胴回り部１Ａの概略断面図であり、図２Ｂは股下部１Ｂの概略断面図である。
【図３】図３Ａから図３Ｃはおむつ１の装着状態の説明図である。
【図４】おむつ１の概略平面図である。
【図５】おむつ１の概略平面図である。
【図６】吸収性コア２の平面図である。
【図７】変形例のおむつ１の概略平面図である。
【図８】図８Ａから図８Ｃは、装着対象よりも小さい低体重児へのおむつ１の装着方法の説明図である。
【発明を実施するための形態】
【００１０】
本明細書及び添付図面の記載により、少なくとも以下の事項が明らかとなる。
長手方向と幅方向とを有し、吸収性コアを備える低体重児用の使い捨ておむつであって、前記吸収性コアは、前記幅方向に沿って折れ曲がるように誘導する第１折り誘導部、第２折り誘導部、及び、第３折り誘導部を、前記長手方向において異なる位置に有していること、を特徴とする低体重児用の使い捨ておむつである。
【００１１】
このような低体重児用の使い捨ておむつによれば、通常装着される場合にも、前後逆装着される場合にも、胎内にいた時の姿勢を取る低体重児にフィットする。
【００１２】
かかる低体重児用の使い捨ておむつであって、前記第２折り誘導部は、前記長手方向における前記使い捨ておむつの中央に位置し、前記第１折り誘導部、及び、前記第３折り誘導部は、前記長手方向における前記使い捨ておむつの中央に対して対称に位置していること、を特徴とする低体重児用の使い捨ておむつである。
【００１３】
このような低体重児用の使い捨ておむつによれば、通常装着される場合にも、前後逆装着される場合にも、胎内にいた時の姿勢を取る低体重児にフィットする。
【００１４】
かかる低体重児用の使い捨ておむつであって、前記第２折り誘導部は、前記長手方向における前記使い捨ておむつの中央に位置し、前記第１折り誘導部は、前記長手方向における前記使い捨ておむつの中央と一方側の端との中央に位置し、前記第３折り誘導部は、前記長手方向における前記使い捨ておむつの中央と他方側の端との中央に位置していること、を特徴とする低体重児用の使い捨ておむつである。
【００１５】
このような低体重児用の使い捨ておむつによれば、両膝が腹部に付く位に脚が引き上げられる低体重児にフィットする。
【００１６】
かかる低体重児用の使い捨ておむつであって、前記吸収性コアは、前記長手方向の中央部において、端部よりも幅の狭い幅狭部を有し、前記第１折り誘導部、前記第２折り誘導部、及び、前記第３折り誘導部は、前記幅狭部に位置していること、を特徴とする低体重児用の使い捨ておむつである。
【００１７】
このような低体重児用の使い捨ておむつによれば、低体重児の股間部に当接する吸収性コアの幅が狭くなる。よって、低体重児が脚を動かしやすくなる。また、低体重児の脚を閉じた時に吸収性コアで低体重児の肌を圧迫してしまうことを抑制できる。
【００１８】
かかる低体重児用の使い捨ておむつであって、前記第２折り誘導部は、前記長手方向における前記幅狭部の中央部に位置し、前記第１折り誘導部は、前記長手方向における前記幅狭部の中央と一方側の端との中央よりも前記一方側に位置し、前記第３折り誘導部は、前記長手方向における前記幅狭部の中央と他方側の端との中央よりも前記他方側に位置していること、を特徴とする低体重児用の使い捨ておむつである。
【００１９】
このような低体重児用の使い捨ておむつによれば、両膝が腹部に付く位に脚が引き上げられる低体重児にフィットする。
【００２０】
かかる低体重児用の使い捨ておむつであって、前記第１折り誘導部、及び、前記第３折り誘導部の少なくとも一方は、前記幅狭部において、前記吸収性コアの幅が狭くなり始める部位に位置していること、を特徴とする低体重児用の使い捨ておむつである。
【００２１】
このような低体重児用の使い捨ておむつによれば、両膝が腹部に付く位に脚が引き上げられる低体重児にフィットする。また、幅狭部の外形線の傾斜が急になり、長手方向のより広い範囲において吸収性コアの幅が狭くなり、低体重児の脚を引き上げやすくなる。
【００２２】
かかる低体重児用の使い捨ておむつであって、前記吸収性コアは前記長手方向に対称形状であること、を特徴とする低体重児用の使い捨ておむつである。
【００２３】
このような低体重児用の使い捨ておむつによれば、通常装着される場合にも、前後逆装着される場合にも、胎内にいた時の姿勢を取る低体重児にフィットする。
【００２４】
かかる低体重児用の使い捨ておむつであって、前記長手方向の一方側において、前記幅方向の両外側に延出し、かつ、ファスニングテープが固定された一対の第１サイドフラップと、前記長手方向の他方側において、前記幅方向の両外側に延出する一対の第２サイドフラップと、を有し、前記長手方向の前記一方側から順に、前記第１折り誘導部、前記第２折り誘導部、前記第３折り誘導部が位置し、前記第１折り誘導部、前記第２折り誘導部、及び、前記第３折り誘導部は、それぞれ、前記吸収性コアの前記幅方向の両側部において、前記幅方向の内側に凸となる一対の切欠き部であること、を特徴とする低体重児用の使い捨ておむつである。
【００２５】
このような低体重児用の使い捨ておむつによれば、第１〜第３折り誘導部にて吸収性コアを折ることができる。
【００２６】
かかる低体重児用の使い捨ておむつであって、前記第１折り誘導部の前記切欠き部の頂点は、前記長手方向における前記ファスニングテープの前記他方側の端よりも前記他方側に位置していること、を特徴とする低体重児用の使い捨ておむつである。
【００２７】
このような低体重児用の使い捨ておむつによれば、脚が引き上げられない位置に第１折り誘導部が位置することなく、引き上げられた脚に対応する位置に第１折り誘導部が位置する。
【００２８】
かかる低体重児用の使い捨ておむつであって、前記第２サイドフラップの前記長手方向の前記一方側の端が、前記第３折り誘導部の前記切欠き部の頂点よりも、前記長手方向の前記他方側に位置していること、を特徴とする低体重児用の使い捨ておむつである。
【００２９】
このような低体重児用の使い捨ておむつによれば、第３折り誘導部でおむつの一部を非肌側に折り返して使用する場合に、第２サイドフラップの全てが折り返される。よって、おむつを折り返しやすい。
【００３０】
かかる低体重児用の使い捨ておむつであって、前記第３折り誘導部の前記切欠き部の頂点から、前記長手方向における前記吸収性コアの前記他方側の端までの前記長手方向の長さは、前記ファスニングテープの前記長手方向の長さ以上であること、を特徴とする低体重児用の使い捨ておむつである。
【００３１】
このような低体重児用の使い捨ておむつによれば、第３折り誘導部でおむつの一部を非肌側に折り返して使用する場合に、折り返された吸収性コアにファスニングテープが係止されやすく、係止が安定する。
【００３２】
かかる低体重児用の使い捨ておむつであって、前記使い捨ておむつを前記長手方向に展開かつ伸長した状態において、前記第１折り誘導部及び前記第２折り誘導部の各前記切欠き部の頂点の前記長手方向の中央から、前記長手方向における前記ファスニングテープの前記他方側の端までの長さを第１の長さとし、前記第３折り誘導部の前記切欠き部の頂点から、前記長手方向における前記使い捨ておむつの前記他方側の端までの長さを第２の長さとしたとき、前記長手方向において、前記第３折り誘導部の前記切欠き部の頂点から前記一方側に前記第２の長さ離れた位置は、前記中央から前記他方側に前記第１の長さ離れた位置よりも、前記一方側に位置していること、を特徴とする低体重児用の使い捨ておむつである。
【００３３】
このような低体重児用の使い捨ておむつによれば、第３折り誘導部でおむつの一部を非肌側に折り返して使用する場合に、折り返されたおむつの端にファスニングテープが係止されにくく、係止が安定する。
【００３４】
かかる低体重児用の使い捨ておむつであって、前記使い捨ておむつの前記幅方向の両側部に、一対の立体ギャザー部が配置されており、前記立体ギャザー部は、前記長手方向に伸縮する立体ギャザー部用弾性部材によって、肌側に起立可能であり、前記長手方向において、前記立体ギャザー部用弾性部材の伸縮部の中央は、前記使い捨ておむつの中央よりも前記他方側に位置していること、を特徴とする低体重児用の使い捨ておむつである。
【００３５】
このような低体重児用の使い捨ておむつによれば、ファスニングテープ側のおむつの部位が湾曲しにくい。よって、ファスニングテープ側のおむつの部位を前にして、低体重児の脚の間におむつをスムーズに通すことができる。
【００３６】
かかる低体重児用の使い捨ておむつであって、前記長手方向において、前記第３折り誘導部の前記切欠き部の頂点は、前記立体ギャザー部の前記他方側の起立起点よりも一方側に位置していること、を特徴とする低体重児用の使い捨ておむつである。
【００３７】
このような低体重児用の使い捨ておむつによれば、第３折り誘導部でおむつの一部を非肌側に折り返して使用する場合に、立体ギャザー部を形成する接合部が大きく折り返される。よって、おむつを折り返しやすい。
【００３８】
かかる低体重児用の使い捨ておむつであって、前記使い捨ておむつを前記長手方向に展開かつ伸長した状態において、前記立体ギャザー部用弾性部材の伸縮部の前記長手方向の長さは、前記第１折り誘導部及び前記第３折り誘導部の各前記切欠き部の頂点間の前記長手方向の長さ以上であること、を特徴とする低体重児用の使い捨ておむつである。
【００３９】
このような低体重児用の使い捨ておむつによれば、通常装着される場合にも、前後逆装着される場合にも、立体ギャザー部用弾性部材の収縮により、おむつが立体的に成形されやすい。
【００４０】
＝＝＝実施形態＝＝＝
低体重児用の使い捨ておむつとは、３０００グラム以下（特に２５００グラム未満）の乳児を対象としたおむつである。以下、低体重児用の使い捨ておむつとして、ファスニングテープで低体重児に装着するテープ型使い捨ておむつを例に挙げて実施形態を説明する。ただし、低体重児用の使い捨ておむつは、テープ型に限定されず、例えば、ファスニングテープを備えないパッドタイプの使い捨ておむつであってもよい。
【００４１】
＜＜テープ型使い捨ておむつ１の構成＞＞
図１は、長手方向に展開かつ伸長した低体重児用のテープ型使い捨ておむつ１（以下「おむつ」という）を肌側から見た平面図である。図２Ａは、第１胴回り部１Ａの概略断面図であり、図２Ｂは、股下部１Ｂの概略断面図である。
【００４２】
おむつ１は長手方向と幅方向とを有する。また、おむつ１は、第１胴回り部１Ａと、股下部１Ｂと、第２胴回り部１Ｃとを長手方向に並んで有する。図２Ａに示すように、おむつ１を構成する各部材が積層された方向を厚さ方向という。厚さ方向において、着用者に接する側を肌側といい、その反対側を非肌側という。
【００４３】
おむつ１は、排泄液を吸収する吸収性コア２と、吸収性コア２よりも肌側に配置された液透過性のトップシート３と、吸収性コア２よりも非肌側に配置された液不透過性の防漏シート４と、防漏シート４よりも非肌側に配置され、おむつ１の外形形状を成す外装シート５と、トップシート３の幅方向の両側部から幅方向の外側に延出する一対のサイドシート６とを有している。
【００４４】
吸収性コア２として、パルプ繊維等の液体吸収性繊維に高吸収性ポリマー（所謂ＳＡＰ）を含有させたものを所定の形状に成形したものや、親水性のシートにＳＡＰ層を付着させたＳＡＰシートや、液体吸収性繊維をエアレイド法によってシート状に成形したエアレイドシート等を例示できる。吸収性コア２は、液透過性のティッシュペーパーや不織布等のコアラップシート２Ａで被覆されていてもよい。
【００４５】
おむつ１の幅方向の両側部には、一対の立体ギャザー部８、及び、着用者の脚回りに沿うように長手方向に伸縮する一対の脚回り弾性部材１０が配置されている。立体ギャザー部８は、長手方向に伸縮する立体ギャザー部用弾性部材９によって、サイドシート６の一部が肌側に起立する。立体ギャザー部８によって、排泄物が堰き止められる。
【００４６】
脚回り弾性部材１０は、幅方向における立体ギャザー部８の起立起点（後述の図５に示す第２接合部４２の幅方向内側端４２ａ）よりも幅方向の外側に配置されている。脚回り弾性部材１０によって、おむつ１は着用者の脚回りにフィットし、排泄物の漏れが抑制される。
【００４７】
立体ギャザー部用弾性部材９、及び、脚回り弾性部材１０として、糸ゴム等の糸状弾性部材を例示できる。但しこれに限らず、伸縮性フィルム等のシート状弾性部材であってもよい。
【００４８】
また、立体ギャザー部用弾性部材９、及び、脚回り弾性部材１０は、それぞれ、長手方向に伸縮性が発現される伸縮部（有効長部分）を有する。立体ギャザー部用弾性部材９、及び、脚回り弾性部材１０のうち、長手方向に伸長した状態でシートに固定された部位が伸縮部となる。図面には伸縮部のみを示す。
【００４９】
また、展開状態のおむつ１の外形形状は略砂時計形状である。第１胴回り部１Ａは、長手方向の一方側において、股下部１Ｂよりも幅方向の両外側に延出し、かつ、ファスニングテープ７が固定された一対の第１サイドフラップ３１を有する。第２胴回り部１Ｃは、長手方向の他方側において、股下部１Ｂよりも幅方向の両外側に延出する一対の第２サイドフラップ３２を有する。第１サイドフラップ３１及び第２サイドフラップ３２は、サイドシート６と外装シート５により形成されている。
【００５０】
ファスニングテープ７は、テープ基材７Ａと、フック材７Ｂとを有する。テープ基材７Ａは幅方向に長い略長方形状を成す。フック材７Ｂは例えば面ファスナーの雄部材であり、テープ基材７Ａの肌側面に設けられている。
【００５１】
おむつ１の装着時、展開状態のおむつ１は着用者にあてがわれつつ長手方向の略中央で２つ折りされる。次に、第１サイドフラップ３１が内側に折り返される。最後に、ファスニングテープ７のフック材７Ｂが、第２胴回り部１Ｃの非肌側面に係止される。
【００５２】
また、おむつ１は低体重児用である。そのため、おむつ１を長手方向に展開かつ伸長した状態における、おむつ１の長手方向の長さは１７５ｍｍ〜３３０ｍｍ程度にするとよい。詳しくは、体重２５００ｇ未満用の製品長を３１０ｍｍ、体重１５００ｇ未満用の製品長を２７０ｍｍ、体重１０００ｇ未満用の製品長を２３０ｍｍ程度にするとよい。
【００５３】
また、おむつ１のウェスト寸法は１６０〜２９５ｍｍ程度にするとよい。詳しくは、体重２５００ｇ未満用のウェスト寸法を２７３．５ｍｍ、体重１５００ｇ未満用のウェスト寸法を２２０ｍｍ程度にするとよい。ウェスト寸法は、一方のファスニングテープ７の幅方向の先端を、他方のファスニングテープ７が有するフック材７Ｂの幅方向の根本側の端に合わせた状態で、製品を幅方向に皺なく伸長させた状態での寸法である。
【００５４】
＜＜おむつ１の前後逆装着＞＞
図３Ａから図３Ｃは、おむつ１の装着状態の説明図である。低体重児の中でも特に２５００グラム未満で出産された低体重児は、胎内にいた時の姿勢で、うつぶせで過ごすことが望ましいとする考え方がある。胎内にいた時の姿勢とは、図３Ａに示すようにＣ字状に背中が丸まるとともに、図３Ｃに示すように脚がＭ字に開脚しつつ、両膝が腹部に付く位に引き付けられた状態である。以下、このような姿勢を「屈曲したうつぶせ姿勢」ともいう。
【００５５】
また、低体重児の身体に極力触れないことが望ましいとするミニマルハンドリングの考え方がある。
【００５６】
よって、おむつ１の交換時に、低体重児を仰向けにせずに、うつぶせの低体重児の脚の間におむつ１を通し、うつぶせのままの低体重児に対しておむつ１を交換することがある。そのため、図３Ａに示すように、ファスニングテープ７が設けられた第１胴回り部１Ａが背側を覆うように装着される通常の装着だけでなく、図３Ｂに示すように、第１胴回り部１Ａが腹側を覆うように装着される前後逆装着が行われることがある。前後逆装着の場合、うつぶせの低体重児の腹部の下に手を入れて、ファスニングテープ７の係止や取り外しを行う必要がなくなる。
【００５７】
また、ファスニングテープ７が固定されている第１胴回り部１Ａの一部を切り取るための切り取り線１１がおむつ１に設けられているとよい。そうすることで、低体重児からのおむつ１の取り外しが容易となる。
【００５８】
＜＜吸収性コア２の形状＞＞
図４及び図５は、おむつ１の概略平面図である。図６は、吸収性コア２の平面図である。図７は、変形例のおむつ１の概略平面図である。図８Ａから図８Ｃは、装着対象よりも小さい低体重児へのおむつ１の装着方法の説明図である。以下の説明では、長手方向において、ファスニングテープ７が配置された一方側を「テープ側」ともいい、その反対側である他方側を「非テープ側」ともいう。また、おむつ１が長手方向に伸長した状態とは、おむつ１に生じていた皺が実質的に視認されなくなる程におむつ１が長手方向に伸長した状態である。詳しくは、おむつ１を構成する各部材（例えばサイドシート６等）の長手方向の寸法が、その部材単体の長手方向の寸法と一致又はそれに近い長さになるまでおむつ１が伸長した状態である。
【００５９】
図３Ｃに示すように、脚を引き上げた低体重児の股間部は、おむつ１の長手方向の中央部よりも長手方向の片側に寄った部位に当接する。具体的には、仰向けで脚を引き上げている低体重児に対して、床に接している臀部から脚が上がり始める位置（Ｆ１）に、おむつ１の折れ起点があるとよい。また、引き上げている脚の腹側の付け根の位置（Ｆ２）にも、おむつ１の折れ起点があるとよい。そうすることで、低体重児の股間部に当接するおむつ１の部位（Ｆ１〜Ｆ２）が底となり、おむつ１が立体的に変形しやすい。
【００６０】
特に、おむつ１が立体ギャザー部用弾性部材９や脚回り弾性部材１０を有する場合、両弾性部材９，１０の収縮により、おむつ１が肌側面を内側にして丸く立体的に成形される。そのため、おむつ１は、Ｃ字状に背中を丸めた低体重児の姿勢にフィットする。
【００６１】
そのために、本実施形態の吸収性コア２は、図４に示すように、幅方向に沿って折れ曲がるように誘導する第１折り誘導部２１ａ、第２折り誘導部２１ｂ、及び、第３折り誘導部２１ｃを、長手方向において異なる位置に有している。長手方向のテープ側から順に、第１折り誘導部２１ａ、第２折り誘導部２１ｂ、第３折り誘導部２１ｃが位置している。
【００６２】
そのため、おむつ１が通常装着された場合には、第２折り誘導部２１ｂ及び第３折り誘導部２１ｃ間の吸収性コア２の部位が、非テープ側に脚を引き上げた低体重児の股間部にフィットする。つまり、第２折り誘導部２１ｂ及び第３折り誘導部２１ｃにて吸収性コア２が折れて、非テープ側に脚を引き上げた低体重児に沿うように、おむつ１が立体的に変形する。
【００６３】
一方、おむつ１が前後逆装着された場合には、第１折り誘導部２１ａ及び第２折り誘導部２１ｂ間の吸収性コア２の部位が、テープ側に脚を引き上げた低体重児の股間部にフィットする。つまり、第１折り誘導部２１ａ及び第２折り誘導部２１ｂにて吸収性コア２が折れて、テープ側に脚を引き上げた低体重児に沿うように、おむつ１が立体的に変形する。
【００６４】
このように、本実施形態のおむつ１は、通常装着される場合にも、前後逆装着される場合にも、胎内にいた時の姿勢を取る低体重児にフィットする。よって、排泄液の漏れを抑制できる。また、低体重児は動きが少なく浮腫みやすい。そのため、低体重児の姿勢にフィットする本実施形態のおむつ１によれば、不要な締め付けがなくなり、さらなる浮腫みの発生を防止できる。
【００６５】
本実施形態の吸収性コア２では、第１〜第３折り誘導部２１ａ〜２１ｃとして、吸収性コア２の幅方向の両側部に、幅方向の内側に凸となる一対の切欠き部２２ａ〜２２ｃが設けられている。一対の切欠き部２２ａ〜２２ｃは、吸収性コア２を幅方向に２等分する不図示の中心線に対して対称な形状を成し、対称に配置されている。なお、切欠き部２２ａ〜２２ｃは、図５に示す山形状に限らず、例えば、長方形状でもよいし、切込み線等でもよい。
【００６６】
切欠き部２２ａ〜２２ｃでは、周囲の領域に比べて吸収性コア２を構成する部材（液体吸収性繊維等）の坪量（ｇ／ｃｍ2）が低くなっているか、或いは、吸収性コア２を構成する部材が存在していない。よって、一対の切欠き部２２ａ〜２２ｃが設けられた吸収性コア２の部位では、周囲の領域との剛性差により、吸収性コア２が幅方向に沿って折れ曲がりやすくなっている。
【００６７】
ただし、第１〜第３折り誘導部２１ａ〜２１ｃを切欠き部２２ａ〜２２ｃで形成するに限らない。例えば、製造工程において吸収性コア２を幅方向に沿って折る曲げ加工を施したり、吸収性コア２を構成する部材の坪量を幅方向に沿って低くしたり、吸収性コア２の幅方向の中央部に幅方向に沿ったスリットを形成したりすることで、第１〜第３折り誘導部２１ａ〜２１ｃを形成してもよい。
【００６８】
また、第１〜第３折り誘導部２１ａ〜２１ｃの配置は以下であるとよい。
図４に示すように、第２折り誘導部２１ｂは、長手方向におけるおむつ１の中央ＣＬ１に位置しているとよい。なお、おむつ１の中央ＣＬ１に、第２折り誘導部２１ｂの切欠き部２２ｂの頂点が位置するに限らず、切欠き部２２ｂの何れかの部位が位置していればよい。
【００６９】
そして、第１折り誘導部２１ａ及び第３折り誘導部２１ｃは、長手方向におけるおむつ１の中央ＣＬ１に対して対称に位置しているとよい。つまり、おむつ１の中央ＣＬ１から第１折り誘導部２１ａの切欠き部２２ａの頂点までの長さと、おむつ１の中央ＣＬ１から第３折り誘導部２１ｃの切欠き部２２ｃの頂点までの長さとが等しいとよい。
【００７０】
そうすることで、おむつ１が通常装着される場合にも、前後逆装着される場合にも、差が無く、おむつ１が低体重児にフィットする。
【００７１】
さらに、第１折り誘導部２１ａは、長手方向におけるおむつ１の中央ＣＬ１と、おむつ１の一方側の端１ａとの中央ＣＬ２に位置し、第３折り誘導部２１ｃは、長手方向におけるおむつ１の中央ＣＬ１と、おむつ１の他方側の端１ｂとの中央ＣＬ３に位置しているとよい。なお、おむつ１の各地点ＣＬ２，ＣＬ３に、第１，第３折り誘導部２１ａ，２１ｃの切欠き部２２ａ，２２ｃの頂点が位置するに限らず、切欠き部２２ａ，２２ｃの何れかの部位が位置していればよい。
【００７２】
換言すると、第１折り誘導部２１ａ及び第３折り誘導部２１ｃは、おむつ１の中央ＣＬ１から、おむつ１の製品長の１／４の長さ離れて位置するとよい。そうすることで、両膝が腹部に付く位に引き上げられた脚の腹側の付け根（図３ＣのＦ２）に対応する位置で、吸収性コア２を折ることができる。よって、胎内にいた時の姿勢を取る低体重児にフィットするように、おむつ１が立体的に変形する。
【００７３】
また、本実施形態の吸収性コア２は、図６に示すように、長手方向の中央部において、端部よりも幅の狭い幅狭部２Ａを有している。そして、第１折り誘導部２１ａ、第２折り誘導部２１ｂ、及び、第３折り誘導部２１ｃは、幅狭部２Ａに位置している。
【００７４】
そのため、低体重児の脚を引き上げやすくなる。また、第１，第２折り誘導部２１ａ，２１ｂ間の吸収性コア２の幅が狭くなっており、第２，第３折り誘導部２１ｂ，２１ｃ間の吸収性コア２の幅が狭くなっている。つまり、低体重児の股間部が当接する吸収性コア２の幅が狭くなっている。そのため、低体重児が脚を動かしやすい。また、低体重児の脚を閉じた時に、剛性の高い吸収性コア２で低体重児の肌を圧迫してしまうことを抑制できる。
【００７５】
詳しくは、第２折り誘導部２１ｂは、長手方向における幅狭部２Ａの中央部に位置しているとよい。そして、第１折り誘導部２１ａは、長手方向における幅狭部２Ａの中央ＣＬ４と、幅狭部２Ａの一方側の端２Ａ１との中央ＣＬ５よりも、一方側に位置しているとよい。逆に、第３折り誘導部２１ｃは、長手方向における幅狭部２Ａの中央ＣＬ４と他方側の端２Ａ２との中央ＣＬ６よりも他方側に位置しているとよい。
【００７６】
換言すると、第１折り誘導部２１ａ及び第３折り誘導部２１ｃは、幅狭部２Ａの中央ＣＬ４から、幅狭部２Ａの長さＬ２の１／４の長さ以上離れて位置するとよい。そうすることで、両膝が腹部に付く位に引き上げられた脚の腹側の付け根（図３ＣのＦ２）に対応する位置で、吸収性コア２を折ることができる。よって、胎内にいた時の姿勢を取る低体重児にフィットするように、おむつ１が立体的に変形する。
【００７７】
さらに、第１折り誘導部２１ａ及び第３折り誘導部２１ｃは、幅狭部２Ａにおいて、吸収性コア２の幅が狭くなり始める部位に位置しているとよい、すなわち幅狭部２Ａの長手方向の端に位置しているとよい。そうすることで、両膝が腹部に付く位に脚が引き上げられる低体重児にフィットするように、おむつ１が立体的に変形する。
【００７８】
この場合、第１折り誘導部２１ａ及び第３折り誘導部２１ｃの各切欠き部２２ａ，２２ｃの一部は、幅方向の内側に傾斜した幅狭部２Ａの外形線２Ａ３によって形成される。そのため、その外形線２Ａ３の傾斜が急になる。よって、長手方向のより広い範囲において、吸収性コア２の幅を狭くでき、低体重児の脚を引き上げやすくなる。
【００７９】
また、長手方向における吸収性コア２の中央ＣＬ４から、幅狭部２Ａの一方側の端２Ａ１及び他方側端２Ａ２までの各長さＬ３は、吸収性コア２の長手方向の長さＬ１の２２％以上の長さであるとよい（Ｌ３≧Ｌ１×０．２２）。
【００８０】
このように長手方向の両外側に幅狭部２Ａが長く延びることで、おむつ１が通常装着される場合にも、前後逆装着される場合にも、低体重児の脚を引き上げやすくなる。換言すると、両膝が腹部に付く位に脚が引き上げられる低体重児の股間部に幅狭部２Ａを当接させることができ、吸収性コア２で低体重児の肌を圧迫してしまうことを抑制できる。
【００８１】
また、図６に示すように、幅狭部２Ａの幅方向の両側端２ａは、長手方向に沿う直線部２Ａ４を有するとよい。この場合、例えば幅狭部の側端が幅方向の内側に凸となる円弧形状である場合に比べて、長手方向のより広い範囲にわたり、吸収性コア２の幅を狭くできる。そのため、脚が引き上げられる低体重児の股間部に、より幅の狭い幅狭部２Ａが位置し、吸収性コア２で低体重児の肌を圧迫してしまうことを抑制できる。
【００８２】
また、直線部２Ａ４は、吸収性コア２の長手方向の中央ＣＬ４に対して長手方向の両側に設けられているとよい。この場合、おむつ１を通常装着する場合にも、前後逆装着する場合にも、脚を引き上げやすくなり、吸収性コア２で低体重児の肌を圧迫してしまうことを抑制できる。
【００８３】
なお、第２折り誘導部２１ｂの吸収性コア２の幅Ｗ１（すなわち一対の切欠き部２２ｂの頂点間の幅）、及び、直線部２Ａ４における吸収性コア２の幅Ｗ２は、１５ｍｍ以上４５ｍｍ以下程度にするとよい。そうすることで、吸収性コア２の吸収能力を確保しつつ、吸収性コア２で低体重児の肌を圧迫してしまうことを抑制できる。
【００８４】
また、幅狭部２Ａを長くすることで、図１に示すように、排尿により色が変化するインジケーター１２を幅狭部２Ａに収めることができる。幅狭部２Ａではインジケーター１２が反応しやすい。そのため、低体重児の少ない尿量でもインジケーター１２を反応させることができ、おむつ１の交換時期が分かりやすくなる。
【００８５】
ただし、おむつ１が前後逆装着された場合に（図３Ｂ参照）、仮に、ファスニングテープ７の係止位置ｐ１を超えて脚が引き上げられてしまうと、ファスニングテープ７が固定された第１サイドフラップ３１がめくれて、ファスニングテープ７が外れやすくなってしまう。そのため、図４に示すように、幅狭部２Ａのテープ側の端２Ａ１は、ファスニングテープ７の下端７ａ（非テープ側の端７ａ）よりも下方（非テープ側）に位置しているとよい。そうして、幅狭部２Ａを不要に長くしないことで、吸収性コア２の吸収能力を確保できる。
【００８６】
同様の理由から、第１折り誘導部２１ａの切欠き部２２ａの頂点２２ａ１も、ファスニングテープ７の下端７ａよりも下方（非テープ側）に位置しているとよい。そうすることで、脚が引き上げられない位置に第１折り誘導部２１ａが位置することなく、引き上げられた脚の腹側の付け根（図３ＣのＦ２）に対応する位置に第１折り誘導部２１ａが位置する。
【００８７】
なお、吸収性コア２は、幅狭部２Ａを有していなくてもよい。例えば平面視長方形状の吸収性コア２に、第１〜第３折り誘導部２１ａ〜２１ｃが設けられていてもよい。
【００８８】
以上のように、本実施形態の吸収性コア２は長手方向の中央ＣＬ４に対して対称形状を成す。そのため、吸収性コア２の長手方向の中央ＣＬ４に対して長手方向の両側に、折り誘導部（２１ａ，２１ｃ）が設けられていたり、吸収性コア２の直線部２Ａ４が設けられていたりする。したがって、おむつ１が通常装着される場合にも、前後逆装着される場合にも、差が無く、おむつ１が低体重児にフィットする。
【００８９】
また、前後逆装着は、うつぶせの低体重児を動かさずにおむつ１を交換する場合に行われる。そのため、前後逆装着する場合、ファスニングテープ７が固定された第１胴回り部１Ａ側を前にして、うつぶせの低体重児の脚の間におむつ１が通される。また、脚回り弾性部材１０に比べて、幅方向の内側に位置する立体ギャザー部用弾性部材９の方が、おむつ１が湾曲する変形への影響が大きい。
【００９０】
そこで、図４に示すように、長手方向において、立体ギャザー部用弾性部材９の伸縮部の中央９ＣＬを、おむつ１の中央ＣＬ１よりも非テープ側に位置させるとよい。そうすることで、テープ側の第１胴回り部１Ａは、非テープ側の第２胴回り部１Ｃに比べて湾曲しにくく、平坦な形状に維持されやすい。そのため、前後逆装着時に、うつぶせの低体重児の脚の間に、第１胴回り部１Ａをスムーズに通すことができ、おむつ１を容易に装着できる。
【００９１】
また、幅狭部２Ａでは、幅方向における吸収性コア２の側端からおむつ１の側端までの脚回りのシート部分の長さが長いため、立体ギャザー部８の起立高さを確保できる。そのため、幅狭部２Ａの長手方向の長さは、おむつ１が長手方向に展開かつ伸長した状態における立体ギャザー部用弾性部材９の伸縮部の長さよりも長くするよい。
【００９２】
そうすることで、立体ギャザー部用弾性部材９の長い範囲に亘って、幅狭部２Ａを配置でき、より確実に、立体ギャザー部８を起立させることができる。よって、立体ギャザー部８で排泄液を堰き止められる。
【００９３】
また、図７に示す変形例のおむつ１のように、おむつ１が長手方向に展開かつ伸長した状態において、立体ギャザー部用弾性部材９の伸縮部の長手方向の長さＬ４を、第１折り誘導部２１ａ及び第３折り誘導部２１ｃの各切欠き部２２ａ，２２ｃの頂点間（２２ａ１〜２２ｃ１）の長手方向の長さＬ５以上にしてもよい（Ｌ４≧Ｌ５）。
【００９４】
そうすることで、第１折り誘導部２１ａ〜第３折り誘導部２１ｃの長い範囲に亘って、立体ギャザー部用弾性部材９を配置できる。そのため、通常装着される場合には、第２，第３折り誘導部２１ｂ，２１ｃ間を底とし、前後逆装着される場合には、第１，第２折り誘導部２１ａ，２１ｂ間を底として、長い立体ギャザー部用弾性部材９の収縮により、おむつ１を丸く立体的に成形できる。ゆえに、おむつ１は、Ｃ字状に背中を丸めた低体重児の姿勢によりフィットする。
【００９５】
ところで、おむつ１の対象サイズよりも小さい低体重児にも、おむつ１を使用する場合がある。その場合、図８Ａに示すように、第３折り誘導部２１ｃを折り位置ＦＬ１として、第２胴回り部１Ｃを非肌側に折り返し、図８Ｂの状態にする。図８Ｂの状態のおむつ１を、着用者にあてがいつつ、第１折り誘導部２１ａと第２折り誘導部２１ｂの略中央を折り位置ＦＬ２として２つ折りする。そして、図８Ｃに示すように、第１サイドフラップ３１を内側に折り返し、第２胴回り部１Ｃの肌側面にファスニングテープ７を係止する。
【００９６】
この場合にも、第１折り誘導部２１ａ及び第２折り誘導部２１ｂにて吸収性コア２が折れて底となり、低体重児の股間部にフィットし、おむつ１が立体的に変形する。また、おむつ１が３つの折り誘導部２１ａ〜２１ｃを有するため、第３折り誘導部２１ｃにておむつ１の一部を非肌側に折り返しやすく、対象サイズよりも小さい低体重児にも使用しやすいともいえる。このような使用方法を想定し、おむつ１が以下の特徴を有することが好ましい。
【００９７】
図５に示すように、長手方向において、第３折り誘導部２１ｃの切欠き部２２ｃの頂点２２ｃ１（折り位置ＦＬ１）から、吸収性コア２の非テープ側の端２ｃまでの長さＬ６を、第２折り誘導部２１ｂ及び第３折り誘導部２１ｃの各切欠き部２２ｂ，２２ｃの頂点間（２２ｂ１〜２２ｃ１）の長手方向の長さＬ７よりも短くするとよい（Ｌ６＜Ｌ７）。
【００９８】
そうすることで、第３折り誘導部２１ｃの切欠き部２２ｃの頂点２２ｃ１（折り位置ＦＬ１）で非肌側に折り返された吸収性コア２が、第２折り誘導部２１ｂの切欠き部２２ｂの頂点２２ｂ１と厚さ方向に重複しない。そのため、第２折り誘導部２１ｂでの吸収性コア２の折りが、非肌側に折り返された吸収性コア２によって阻害されてしまうことを防止できる。よって、低体重児にフィットするように、おむつ１が立体的に変形する。
【００９９】
また、長手方向における第２サイドフラップ３２のテープ側の端（根元）３２ａが、第３折り誘導部２１ｃの切欠き部２２ｃの頂点２２ｃ１（折り位置ＦＬ１）よりも、非テープ側（長手方向の外側）に位置しているとよい。
【０１００】
そうすることで、第２サイドフラップ３２の全てが非肌側に折り返される。そのため、折り位置ＦＬ１にて第２胴回り部１Ｃを非肌側に折り返しやすい。また、第２サイドフラップ３２の一部が非肌側に折り返されて残りの部位と重なり、剛性の高い部位が生じてしまうことを防止できる。よって、第２サイドフラップ３２の剛性の高い部位で低体重児の肌を刺激することを防止できる。
【０１０１】
なお、第２サイドフラップ３２のテープ側の端３２ａとは、おむつ１の外縁のうち、長手方向のテープ側に向かって幅方向の内側に傾斜する部位と、長手方向に沿うか又は逆向きに傾斜する部位との境界点である。また、第２サイドフラップ３２のテープ側の端３２ａは、おむつ１の幅が最も狭くなる地点ともいえる。
【０１０２】
また、第３折り誘導部２１ｃの切欠き部２２ｃの頂点２２ｃ１（折り位置ＦＬ）から、長手方向における吸収性コア２の非テープ側の端２ｃまでの長手方向の長さＬ６は、ファスニングテープ７の幅（おむつ１の長手方向の長さ）Ｌ８以上であるとよい（Ｌ６≧Ｌ８）。
【０１０３】
そうすることで、非肌側に折り返された吸収性コア２の幅Ｌ６が、ファスニングテープ７の幅Ｌ８以上となる。よって、図８Ｃに示すように、非肌側に折り返された吸収性コア２上の剛性の高い領域にファスニングテープ７が係止されやすい。よって、例えばシートのみの剛性の低い領域にファスニングテープ７が係止される場合に比べて、ファスニングテープ７の係止が安定し、ファスニングテープ７が外れにくくなる。
【０１０４】
また、おむつ１は、長手方向に展開かつ伸長した状態（図５）において、第１折り誘導部２１ａ及び第２折り誘導部２１ｂの各切欠き部２２ａ，２２ｂの頂点２２ａ１，２２ｂ１の長手方向の中央ＣＬ７（折り位置ＦＬ２）から、長手方向におけるファスニングテープ７の非テープ側の端７ａまでの長さＬ９（第１の長さ）を有する。また、おむつ１は、第３折り誘導部２１ｃの切欠き部２２ｃの頂点２２ｃ１から、長手方向におけるおむつ１の非テープ側の端１ｂまでの長さＬ１０（第２の長さ）を有する。
【０１０５】
長手方向において、第３折り誘導部２１ｃの切欠き部２２ｃの頂点２２ｃ１からテープ側に長さＬ１０離れた位置ｐ２は、非肌側に折り返されたおむつ１の端１ｂの位置となる（図８Ｃ参照）。また、第１折り誘導部２１ａ及び第２折り誘導部２１ｂの中央ＣＬ７（折り位置ＦＬ２）から非テープ側に長さＬ９離れた位置ｐ３は、ファスニングテープ７の端７ａのおおよその係止位置ｐ３となる（図８Ｃ参照）。
【０１０６】
そこで、おむつ１が長手方向に展開かつ伸長した状態（図５）において、非肌側に折り返されたおむつ１の端１ｂの位置ｐ２が、ファスニングテープ７の係止位置ｐ３よりもテープ側に位置するとよい。つまり、おむつ１の装着状態（図８Ｃ）において、非肌側に折り返されたおむつ１の端１ｂの位置ｐ２が、ファスニングテープ７の係止位置ｐ３よりも、下方に位置するとよい。
【０１０７】
そうすることで、おむつ１の端１ｂを跨いでファスニングテープ７が係止されにくい。つまり、非肌側に折り返されたおむつ１の部位と折り返されていないおむつ１の部位との境界に、ファスニングテープ７が係止されにくい。よって、ファスニングテープ７の係止が安定し、ファスニングテープ７が外れにくくなる。
【０１０８】
また、図５のおむつ１の右半分に示すように、立体ギャザー部８は、接着剤等でサイドシート６がトップシート３に接合された接合部４０によって形成されている。接合部４０は、おむつ１の長手方向の両端部に配置された第１接合部４１と、おむつ１の長手方向の一端１ａから他端１ｂまで延び、かつ、第１接合部４１よりも幅方向の外側に配置された第２接合部４２とを有する。
【０１０９】
非テープ側のおむつ１の端部に配置された第１接合部４１の、テープ側の端４１ａの長手方向の位置ｐ４が、立体ギャザー部８の非テープ側の起立起点となる。接合部４０（４１，４２）では接着剤が硬化する等しており、周囲の領域に比べて剛性が高い。そこで、第３折り誘導部２１ｃの切欠き部２２ｃの頂点２２ｃ１は、立体ギャザー部８の非テープ側の起立起点（ｐ４）よりもテープ側に位置するとよい。
【０１１０】
そうすることで、非テープ側の第１接合部４１の全てが非肌側に折り返される。そのため、剛性の高い第１接合部４１の途中でおむつ１が折り返される場合に比べて、おむつ１を折り返しやすくなる。また、おむつ１の対象サイズよりも小さい低体重児の肌はより弱い。そのため、剛性の高い第１接合部４１の全てが折り返されることで、剛性の高い接合部４０と低体重児との接触面積が減り、低体重児の肌への負担を軽減できる。
【０１１１】
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【０１１２】
例えば、テープ型おむつに限らず、パッドタイプのおむつであっても、吸収性コアに折り誘導部が３つ設けられるとよい。この場合、看護師等は、長手方向の何れの側に切欠き部が寄って配置されているかを確認することなく、おむつを装着できる。すなわち、おむつの長手方向の前後を意識する必要がなくなる。
【符号の説明】
【０１１３】
１  おむつ（低体重児用の使い捨ておむつ）、
１Ａ  第１胴回り部、１Ｂ  股下部、１Ｃ  第２胴回り部、
２  吸収性コア、２Ａ  幅狭部、
２１ａ  第１折り誘導部、２１ｂ  第２折り誘導部、
２１ｃ  第３折り誘導部、２２ａ〜２２ｃ  切欠き部、
３  トップシート、４  防漏シート、
５  外装シート、６  サイドシート、７  ファスニングテープ、
８  立体ギャザー部、９  立体ギャザー部用弾性部材、
１０  脚回り弾性部材、１１  切り取り線、１２  インジケーター、
３１  第１サイドフラップ、３２  第２サイドフラップ、
４０  接合部、４１  第１接合部、４２  第２接合部
【図１】
2019069468.tif 000003
【図２】
2019069468.tif 000004
【図３】
2019069468.tif 000005
【図４】
2019069468.tif 000006
【図５】
2019069468.tif 000007
【図６】
2019069468.tif 000008
【図７】
2019069468.tif 000009
【図８】
2019069468.tif 000010
【国際調査報告】
2019069468.tif 000011
2019069468.tif 000012
2019069468.tif 000013
2019069468.tif 000014